(57)【要約】      （修正有）【課題】神経弓門内に脊髄が残り難い神経締め具を提供する。【解決手段】神経締め具４０は、魚の脊椎の神経弓門内に挿入される線状部を備える。線状部は、先端から基端の間に少なくとも１つの拡径部３０を備えている。拡径部３０は、基端側線状部２０と先端側線状部１０とを接続する複数の接続部分３２ａ〜３２ｄを備えている。複数の接続部分３２ａ〜３２ｄのそれぞれは、線状部の軸線方向に伸びており、その中間部において、先端側線状部１０の外面及び基端側線状部２０の外面より径方向外側に突出して径方向内側に空間３４を形成すると共に、隣接する他の接続部分に対して周方向に間隔を空けて配置されている。【選択図】図１
0003224772.tif 000002
【実用新案登録請求の範囲】
【請求項１】
魚の脊椎の神経弓門内に挿入される線状部を備える神経締め具において、
前記線状部は、先端から基端の間に少なくとも１つの拡径部を備えており、
前記拡径部は、基端側の線状部と先端側の線状部とを接続する複数の接続部分を備えており、
前記複数の接続部分のそれぞれは、前記線状部の軸線方向に伸びており、その中間部において、前記先端側の線状部の外面及び前記基端側の線状部の外面より径方向外側に突出して径方向内側に空間を形成すると共に、隣接する他の接続部分に対して周方向に間隔を空けて配置されている、神経締め具。
【請求項２】
前記複数の接続部分は、その中間において、周方向に略等間隔で配置されている、請求項１に記載の神経締め具。
【請求項３】
前記複数の接続部分の径方向に突出する突出量は、基端側から前記中間部に向かうに従って増大する一方、中間部から先端側に向かうに従って減少する、請求項１又は２に記載の神経締め具。
【請求項４】
前記複数の接続部分のそれぞれは、前記線状部の軸線を含む交差する複数の平面のそれぞれの上に位置している、請求項１〜３のいずれか一項に記載の神経締め具。
【請求項５】
前記複数の接続部分の個数は４個である、請求項１〜４のいずれか一項に記載の神経締め具。
【請求項６】
前記先端側の線状部の断面は円形であり、
前記基端側の線状部の断面は円形であり、
前記先端側の線状部の断面の径は、前記基端側の線状部の断面の径と同一である、請求項１〜５のいずれか一項に記載の神経締め具。
【請求項７】
前記線状部は、先端から基端の間に１個の前記拡径部を備えており、
前記拡径部は、前記線状部の先端よりの位置に設けられている、請求項１〜６のいずれか一項に記載の神経締め具。
【請求項８】
前記線状部材は、形状記憶合金により形成されている、請求項１〜７のいずれか一項に記載の神経締め具。
【考案の詳細な説明】
【技術分野】
【０００１】
本明細書に開示する技術は、魚の神経締め具に関する。特に、魚の脊髄を破壊することにより鮮度を保持する魚の神経絞め具に関する。
【背景技術】
【０００２】
魚の鮮度を保持するために、魚の脊髄を破壊する神経締め具が開発されている（例えば、特許文献１）。特許文献１に開示の神経締め具は、魚の脊椎の神経弓門内に挿入される線状部を有している。線状部は、複数の線材が捻じられて構成されている。また、線状部の先端（即ち、挿入される側の端部）にはブラシ部が設けられている。この神経締め具によれば、複数の線材を捻じることで線状部の表面に凹凸が形成され、この凹凸と脊髄との摩擦によって脊髄が破壊される。また、線状部の先端にブラシ部が設けられているため、ブラシ部と脊髄との摩擦によって脊髄が破壊される。
【先行技術文献】
【特許文献】
【０００３】
【特許文献１】特許第６０１９４５１号
【考案の概要】
【考案が解決しようとする課題】
【０００４】
特許文献１の神経締め具では、線状部を神経弓門内に挿入して神経締め処理をすると、線状部の表面（凹凸）やブラシ部と脊髄が接触し、脊髄が細かく分断される。このため、神経弓門内に脊髄が残り易いという問題があった。神経弓門内に脊髄が残ってしまうと、それによって魚の鮮度が低下する虞がある。本明細書は、神経弓門内に脊髄が残り難い神経締め具を開示する。
【課題を解決するための手段】
【０００５】
本明細書に開示する神経締め具は、魚の脊椎の神経弓門内に挿入される線状部を備えている。線状部は、先端から基端の間に少なくとも１つの拡径部を備えている。拡径部は、基端側の線状部と先端側の線状部とを接続する複数の接続部分を備えている。複数の接続部分のそれぞれは、線状部の軸線方向に伸びており、その中間部において、先端側の線状部の外面及び基端側の線状部の外面より径方向外側に突出して径方向内側に空間を形成すると共に、隣接する他の接続部分に対して周方向に間隔を空けて配置されている。
【０００６】
上記の神経締め具では、魚の脊椎の神経弓門内に挿入される線状部に拡径部が設けられている。拡径部を構成する複数の接続部分は、それぞれが線状部の軸線方向に伸び、その中間部において、周方向に間隔を空けて配置されると共に、外側に突出して径方向内側に空間を形成している。このため、神経弓門内に線状部を挿入すると、神経弓門内の脊髄の一部は、複数の接続部分の周方向の隙間からその内側の空間に入り込み、線状部材に絡め取られる。したがって、神経弓門内から線状部を引き抜くと、それに応じて神経弓門内から脊髄を一体として引きずり出し易くなる。その結果、神経弓門内に脊髄が残り難く、魚の鮮度の低下を好適に抑制することができる。
【図面の簡単な説明】
【０００７】
【図１】実施例１に係る神経締め具の全体構成を示す側面図。
【図２】実施例１に係る神経締め具のII-II線断面図。
【図３】実施例１に係る神経締め具のIII-III線断面図。
【図４】実施例１に係る神経締め具のIV-IV線断面図。
【図５】実施例１に係る接続部分（拡径部）の軸線方向の位置と外側への突出量（軸線からの距離）との関係を示すグラフ。
【図６】変形例に係る接続部分（拡径部）の軸線方向の位置と外側への突出量（軸線からの距離）との関係を示すグラフ。
【考案を実施するための形態】
【０００８】
以下に説明する実施例の主要な特徴を列記しておく。なお、以下に記載する技術要素は、それぞれ独立した技術要素であって、単独であるいは各種の組合せによって技術的有用性を発揮するものであり、出願時の請求項に記載の組合せに限定されるものではない。
【０００９】
（特徴１）本明細書に開示する神経締め具では、複数の接続部分は、その中間において、周方向に略等間隔で配置されていてもよい。このような構成によると、脊髄が拡径部の周方向の全周から内部空間に入り込み易くなるため、拡径部に脊髄を効果的に絡め取ることができる。
【００１０】
（特徴２）本明細書に開示する神経締め具では、複数の接続部分の径方向に突出する突出量は、基端側から中間部に向かうに従って増大する一方、中間部から先端側に向かうに従って減少してもよい。このような構成によると、神経弓門内に線状部材を挿入し易くなると共に、神経弓門内から線状部材を引き抜き易くなる。
【００１１】
（特徴３）本明細書に開示する神経締め具では、複数の接続部分のそれぞれは、線状部の軸線を含む交差する複数の平面のそれぞれの上に位置していてもよい。このような構成では、複数の接続部分が捻じられることなく軸線方向に伸びることとなる。このため、接続部分の製作を容易に行うことができる。
【００１２】
（特徴４）本明細書に開示する神経締め具では、複数の接続部分の個数は４個であってもよい。このような構成によると、拡径部の製作を容易に行うことができる。
【００１３】
（特徴５）本明細書に開示する神経締め具では、先端側の線状部の断面は円形であり、基端側の線状部の断面は円形であってもよい。そして、先端側の線状部の断面の径は、基端側の線状部の断面の径と同一であってもよい。このような構成によると、断面の径が同一の線材を利用して線状部を製作することができるため、神経締め具の製作コストを抑えることができる。
【００１４】
（特徴６）本明細書に開示する神経締め具では、線状部は、先端から基端の間に１個の拡径部を備えていてもよい。拡径部は、線状部の先端よりの位置に設けられていてもよい。このような構成によると、神経弓門内に先端の拡径部を差し込んで脊髄を絡め取ることができ、神経弓門内から脊髄を好適に引きずり出すことができる。すなわち、神経弓門内の深くまで神経締め具を差し込まなくても拡径部に脊髄を絡め取ることができるため、神経弓門内から脊髄を好適に引きずり出すことができる。
【００１５】
（特徴７）本明細書に開示する神経締め具では、線状部材は、形状記憶合金により形成されていてもよい。このような構成によると、脊椎の神経弓門の湾曲形状に応じて線状部材が容易に弾性変形でき、神経弓門内への線状部材の挿入及び引き抜きを容易に行うことができる。
【実施例１】
【００１６】
以下、実施例１に係る神経締め具４０について説明する。神経締め具４０は、魚の脊椎の神経弓門内に挿入され、神経弓門内の脊髄を破壊して神経弓門内から除去する。図１に示すように、神経締め具４０は、先端側線状部１０と、基端側線状部２０と、先端側線状部１０と基端側線状部２０とを接続する拡径部３０と、を備えている。
【００１７】
先端側線状部１０は、軸線Ａに沿って直線状に伸びる金属の線材で形成されている。具体的には、先端側線状部１０は、形状記憶合金（例えば、Ｔｉ−Ｎｉ合金）の線材により形成されており、神経締めに使用する温度域で超弾性効果が得られるように合金組成及び熱処理条件が設定されている。図２に示すように、先端側線状部１０の断面は円形状であり、その径は軸線方向に一定となっている。なお、先端側線状部１０の先端は、その断面積が先端に向かって徐々に減少する先細り形状とされていてもよい。先端側線状部１０の先端を先細り形状とすることで、神経締め具４０を神経弓門内にスムーズに挿入することができる。
【００１８】
基端側線状部２０は、先端側線状部１０と同様、軸線Ａに沿って直線状に伸びる金属の線材（具体的には、形状記憶合金の線材）で形成されている。基端側線状部２０も、神経締めに使用する温度域で超弾性効果が得られるように合金組成及び熱処理条件が設定されている。図３に示すように、基端側線状部２０の断面も円形状であり、その径は軸線方向に一定で、かつ、先端側線状部１０の断面の径と同一となっている。なお、先端側線状部１０及び基端側線状部２０の断面形状は円形に限られず、任意の形状とすることができ、例えば、矩形状とすることができる。図１から明らかなように、基端側線状部２０の軸長は、先端側線状部１０の軸長よりも長くされている。
【００１９】
拡径部３０は、先端側線状部１０と基端側線状部２０の間に配置されている。先端側線状部１０の軸長が基端側線状部２０の軸長より短いため、拡径部３０は神経締め具４０の先端よりの位置に配置されている。図１，４に示すように、拡径部３０は、先端側線状部１０と基端側線状部２０とを接続する４個の接続部分３２ａ〜３２ｄによって構成されている。接続部分３２ａ〜３２ｄの基端は基端側線状部２０に固定され、その先端は先端側線状部１０に固定されている。
【００２０】
接続部分３２ａ〜３２ｄのそれぞれは、軸線Ａの方向に伸びると共に、先端側線状部１０及び基端側線状部２０の外面よりも径方向外側に突出している。具体的には、接続部分３２ａは図４の下方向に突出し、接続部分３２ｂは図４の左方向に突出し、接続部分３２ｃは図４の上方向に突出し、接続部分３２ｄは図４の右方向に突出している。接続部分３２ａ〜３２ｄは、隣接する接続部分に対して９０度だけずれた方向に突出し、隣接する接続部分に対して周方向に等間隔を空けて配置されている。すなわち、図４に示すように、接続部分３２ａと接続部分３２ｂの間には隙間３６ａが形成され、接続部分３２ｂと接続部分３２ｃの間には隙間３６ｂが形成され、接続部分３２ｃと接続部分３２ｄの間には隙間３６ｃが形成され、接続部分３２ｄと接続部分３２ａの間には隙間３６ｄが形成されている。接続部分３２ａ〜３２ｄの径方向外側へ突出する方向は、軸線方向の位置によらず一定となっている。すなわち、接続部分３２ａ〜３２ｄのそれぞれは、軸線Ａ周りに捻じられておらず、軸線Ａを含む同一平面上に位置している。
【００２１】
図５に示すように、接続部分３２ａ〜３２ｄのそれぞれの径方向外側への突出量ｐは、基端側線状部２０の先端（位置ｘ１）から中間点（IV‐IV断面の位置ｘ２）に向かって徐々に増大し、中間点（IV‐IV断面の位置ｘ２）から先端側線状部１０の基端（位置ｘ３）に向かって徐々に減少している。接続部分３２ａ〜３２ｄのそれぞれが径方向外側に突出することで、接続部分３２ａ〜３２ｄの内側に内部空間３４が形成されている。
【００２２】
なお、拡径部３０の接続部分３２ａ〜３２ｄのそれぞれは、金属材料（具体的には、形状記憶合金）で形成されている。接続部分３２ａ〜３２ｄのそれぞれは、神経締めに使用する温度域で屈曲形状（中間点ｘ２において屈曲する形状）が維持されるように合金組成及び熱処理が実施されている。
【００２３】
上記した神経締め具４０は、次の方法によって好適に製作することができる。まず、合金成分を調整した形状記憶合金の線材を用意する。次に、形状記憶合金の線材の一端より所定の長さ（先端側線状部１０の長さと拡径部３０の長さを足した長さ）だけ、形状記憶合金の線材が周方向に４等分されるように軸線Ａに沿って切断する。次に、４分割された線材を曲げ加工して拡径部３０（すなわち、４つの接続部分３２ａ〜３２ｄ）を形成する。次いで、４分割された線材の先端部分を溶接等によって固定し、先端側線状部１０を形成する。最後に、所望の超弾性効果が得られるように熱処理を実施する。これによって、神経締め具４０を製作することができる。
【００２４】
上記した神経締め具４０の使用方法について説明する。まず、魚の頭側若しくは尾側より、魚の脊椎の神経弓門にアクセスするための穿孔を開ける。次いで、基端側線状部２０を手で把持し、先端側線状部１０側から神経弓門内に神経締め具４０を挿入し、拡径部３０が神経弓門内に位置するように挿入する。次いで、神経締め具４０を軸線周りに回転させる。これによって、神経弓門内の脊髄の一部が、拡径部３０の内側空間３４に進入し、拡径部３０に絡めとられる。すなわち、神経締め具４０を軸線周りに回転させることで、神経弓門内の脊髄の一部は、接続部分３２ａ〜３２ｄの周方向の隙間３６ａ〜３６ｄから内部空間３４に進入する。しかる後、さらに神経締め具４０を軸線周りに回転させることで、拡径部３０に脊髄が絡めとられる（巻き取られる）。その後、神経締め具４０を神経弓門内から引き抜くと、それに応じて、神経締め具４０に絡めとられた脊髄も神経弓門内から一体として引きずり出される。上記の説明から明らかなように、神経弓門内の脊髄は、神経締め具４０によって細かく分断されることなく拡径部３０に絡めとられ、神経締め具４０と共に神経弓門内より引きずり出される。このため、神経弓門内に脊髄が残り難く、魚の鮮度の低下を好適に抑制することができる。
【００２５】
なお、上記した実施例では、拡径部３０の接続部分３２ａ〜３２ｄは、その中点ｘ２において径方向外側に最も突出するように構成されていたが、このような形態に限られない。例えば、図６（ａ）に示すように、拡径部は２か所（点ｘ５と点ｘ６）で外側に突出するように構成してもよいし、図６（ｂ）に示すように、拡径部は突出量が一定となる部分（点ｘ５〜点ｘ６）を備えていてもよいし、図６（ｃ）に示すように、軸線方向に間隔を空けて２か所（点ｘ７〜点ｘ８の部分と点ｘ９〜点ｘ３の部分）に拡径部を備えてもよい。
【００２６】
また、上記した実施例では、拡径部３０の接続部分３２ａ〜３２ｄは、周方向に捻じられていなかったが、このような形態に限られず、周方向に捻じられていてもよい。さらに、上記した実施例では、神経締め具４０を形状記憶合金によって形成したが、このような形態に限られず、例えば、鋼材（ステンレス鋼等）によって形成されていてもよい。
【００２７】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００２８】
１０  先端側線状部
２０  基端側線状部
３０  拡径部
３２ａ〜３２ｄ  接続部分
３４  内部空間
３６ａ〜３６ｄ  隙間
【図１】
0003224772.tif 000003
【図２】
0003224772.tif 000004
【図３】
0003224772.tif 000005
【図４】
0003224772.tif 000006
【図５】
0003224772.tif 000007
【図６】
0003224772.tif 000008